(57)【要約】【課題】使い勝手のよい搬送装置を提供する。【解決手段】搬送対象物を補給リフト側に搬送するための第１の搬送ベルト５１１と、搬送対象物を回収リフト側に搬送するための第２の搬送ベルト５２１と、を備える搬送装置５００が提供される。好ましくは、搬送装置５００は、モータ５３０をさらに備える。モータ５３０によって第１の搬送ベルト５１１を駆動し、モータ５３０によって第２のベルト５２１を駆動する。【選択図】図８
2019166113.tif 000002
【特許請求の範囲】
【請求項１】
搬送対象物を補給リフト側に搬送するための第１の搬送ベルトと、
搬送対象物を回収リフト側に搬送するための第２の搬送ベルトと、を備える搬送装置。
【請求項２】
モータをさらに備え、
前記モータによって前記第１の搬送ベルトを駆動し、前記モータによって前記第２のベルトを駆動する、請求項１に記載の搬送装置。
【請求項３】
前記モータが第１の方向に駆動することによって前記第１の搬送ベルトが前記搬送対象物を前記補給リフトに供給するための方向に駆動され、
前記モータが前記第１の方向とは逆の第２の方向に駆動することによって前記第２の搬送ベルトが前記搬送対象物を前記回収リフトに供給するための方向に駆動される、請求項２に記載の搬送装置。
【請求項４】
前記モータと前記第１の搬送ベルトの伝達経路に第１のワンウェイクラッチが設けられることによって、前記第１の搬送ベルトは前記搬送対象物を前記補給リフトに供給するための方向のみに駆動され、
前記モータと前記第２の搬送ベルトの伝達経路に第２のワンウェイクラッチが設けられることによって、前記第２の搬送ベルトは前記搬送対象物を前記回収リフトに供給するための方向のみに駆動される、請求項２または３に記載の搬送装置。
【請求項５】
前記第１の搬送ベルトの駆動プーリと前記第２の搬送ベルトの駆動プーリは、前記モータの駆動力によって、前記搬送対象物が載置される上側のベルトを引き寄せる方向のみに駆動される、請求項２から４のいずれか１項に記載の搬送装置。
【請求項６】
前記第１の搬送ベルトと前記第２の搬送ベルトは、歯付きベルトによって構成される、請求項５に記載の搬送装置。
【請求項７】
前記第１の搬送ベルトと前記第２の搬送ベルトが互いに平行に配置され、
前記搬送対象物を前記補給リフトに供給するための方向と、前記搬送対象物を前記回収リフトに供給するための方向と、が同じ方向である、請求項１から６のいずれか１項に記載の搬送装置。
【請求項８】
前記第１の搬送ベルトと前記第２の搬送ベルトが互いに平行に配置され、
前記搬送対象物を前記補給リフトに供給するための方向と、前記搬送対象物を前記回収リフトに供給するための方向と、が逆の方向である、請求項１から６のいずれか１項に記載の搬送装置。
【発明の詳細な説明】
【技術分野】
【０００１】
本発明は、メダルなどの遊技媒体をリフトなどに向けて搬送するための搬送装置に関する。
【背景技術】
【０００２】
従来から、遊技台の隣または近傍に配置される玉貸機やメダル貸機などの台間機が知られている。たとえば、特開２０１０−１６７１２１号公報（特許文献１）には、メダル供給機が開示されている。特許文献１によると、ホッパーの吐出口近傍にメダルの供給量を制限する供給量制限装置を設ける。その供給量制限装置は、ホッパーの吐出口の前方位置にメダルとの接触でその積み重なった高さに応じた角度に前端が上向く傾斜板を前後方向にシーソー可能に枢支し、その傾斜板の後端にそのシーソー動作で供給コンベヤとの間隔を変更してメダルの通過量を制限する制限板を下向きに突設し、その制限板を上方へ付勢する重りを傾斜板の前部に設けた構造とする。
【０００３】
また、特開２００７−３１２８９４号公報（特許文献２）には、遊技媒体補給システムが開示されている。特許文献２によると、２台のメダル補給装置では、メインリフトに供給するメダルを上タンク、下タンクが貯留し、メインリフトで揚送したメダルを補給用タンクに貯留し、遊技島のメダル使用機にタンクのメダルをコンベヤが補給する。メダル補給装置間には島渡しコンベヤが配置されている。一方のメダル補給装置のメインリフトが故障で、補給装置の補給用タンクの貯留量が第１の量以下であることを補給装置間搬送の開始条件として、制御部が、島渡しコンベヤを駆動し、メダル補給装置からメダル補給装置へメダルを搬送する。制御部は、メダル搬送の開始条件に、メダル補給装置のタンクの貯留量を加味している。
【先行技術文献】
【特許文献】
【０００４】
【特許文献１】特開２０１０−１６７１２１号公報
【特許文献２】特開２００７−３１２８９４号公報
【発明の概要】
【発明が解決しようとする課題】
【０００５】
本発明の目的は、使い勝手のよい搬送装置を提供することにある。
【課題を解決するための手段】
【０００６】
この発明のある態様に従うと、搬送対象物を補給リフト側に搬送するための第１の搬送ベルトと、搬送対象物を回収リフト側に搬送するための第２の搬送ベルトと、を備える搬送装置が提供される。
【発明の効果】
【０００７】
以上のように、本発明によれば、使い勝手のよい搬送装置が提供される。
【図面の簡単な説明】
【０００８】
【図１】本実施の形態に係る遊技機システムの平面図であって、遊技機システムの概略構成を示している。
【図２】本実施の形態に係る遊技機システムにおける特定の遊技機、遊技媒体貸出機、およびそれらに対応する遊技媒体補給ユニットならびに計数機および計数タンクの配置を示す側面図である。
【図３】本実施の形態に係る遊技機システムを構成する遊技機の概略構成図である。図中、実線矢印は遊技媒体の流れを示し、破線矢印は制御信号や各種情報の流れを示している。
【図４】本実施の形態に係る遊技機システムを構成する遊技媒体貸出機の概略構成図である。図中、実線矢印は遊技媒体の流れを示し、一点鎖線矢印は貨幣の流れを示し、破線矢印は制御信号や各種情報の流れを示している。
【図５】本実施の形態に係る遊技機システムを構成する複数台の遊技媒体補給ユニットおよび遊技媒体搬送コンベヤならびに計数機および計数タンクの配置を示す正面図である。
【図６】本実施の形態に係る遊技機システムを構成する遊技媒体補給ユニットの内部構造を示す斜視図である。
【図７】本実施の形態に係る遊技機システムの部分ブロック図である。図中、実線矢印は遊技媒体の流れを示し、破線矢印は制御信号や各種情報の流れを示している。
【図８】本実施の形態に係るメダル搬送装置の右前方斜視図である。
【図９】本実施の形態に係るメダル搬送装置の右側面図である。
【図１０】本実施の形態に係るメダル搬送装置の平面図である。
【図１１】本実施の形態に係るメダル搬送装置の駆動構成を示す左前方斜視図である。
【図１２】本実施の形態に係るメダル搬送装置の駆動構成を示す右前方斜視図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
［第１の実施の形態］
＜遊技機システム１全体の構成＞
【００１０】
まず、本実施の形態にかかる遊技機システム１は、図１に示されるように、主に、遊技機１０Ａ，１０Ｂ，１０Ｃ、遊技媒体貸出機２０Ａ，２０Ｂ，２０Ｃ、遊技媒体補給装置３０から構成されている。以下、これらの構成装置について詳述するが、複数台存在する遊技機１０Ａ，１０Ｂ，１０Ｃおよび遊技媒体貸出機２０Ａ，２０Ｂ，２０Ｃはいずれも同様の構造を有するため、遊技機１０Ａ，１０Ｂ，１０Ｃおよび遊技媒体貸出機２０Ａ，２０Ｂ，２０Ｃについては代表して符号１０Ａを付した遊技機、符号２０Ａを付した遊技媒体貸出機についてのみ説明する。
【００１１】
＜遊技機システム１の構成装置の詳細＞
（１）遊技機
本実施の形態に係る遊技機１０Ａは、図１および図２に示されるように、複数台設けられており、遊技媒体貸出機２０Ａと交互に配列されている。すなわち、遊技機１０Ａは遊技媒体貸出機２０Ａと一対をなして配列されていると言える。なお、以下、このような遊技機１０Ａと遊技媒体貸出機２０Ａとの一群を「島」と称することがある。また、図１中、その「島」には符号ＩＬａ，ＩＬｂ，ＩＬｃを付している。
【００１２】
遊技機１０Ａは、遊技操作に際してメダル等の遊技媒体ＰＭを要するスロットマシンや、パチンコ台等の遊技機であって、図３に示されるように、主に、遊技機構１１０Ａ、遊技機制御部１２０Ａ、遊技媒体投入部１３０Ａ、遊技媒体検知部１４０Ａおよび遊技媒体貯留部１５０Ａから構成されている。以下、これらの構成要素について詳述する。
【００１３】
遊技機構１１０Ａは、遊技を具現化する機構である。この遊技機構１１０Ａは、図３に示されるように、遊技機制御部１２０Ａに通信接続されており、遊技機制御部１２０Ａによってその動作が制御される。また、この遊技機構１１０Ａには、遊技媒体ＰＭの受け皿（図示せず）や、大当たり等の発生イベントを検知するイベント検知装置（図示せず）等が設けられている。このイベント検知装置は、遊技機制御部１２０Ａに通信接続されており、大当たり等のイベントが生じたことを検知すると、遊技機制御部１２０Ａにイベント検知信号を送信する。そして、そのイベント検知信号を受信した遊技機制御部１２０Ａは、遊技媒体貯留部１５０Ａの排出機構（後述）のモータ（後述）を駆動させて、一定数量の遊技媒体ＰＭを遊技機構１１０Ａの受け皿に排出する。
【００１４】
遊技機制御部１２０Ａは、遊技機構１１０Ａの各構成部品を制御する部位であって、例えば、マイクロコンピュータ等である。この遊技機制御部１２０Ａは、図３に示されるように、遊技機構１１０Ａ、遊技媒体検知部１４０Ａおよび遊技媒体貯留部１５０Ａに通信接続されている。そして、この遊技機制御部１２０Ａは、上述の通り、遊技機構１１０の動作を制御したり、遊技機構１１０Ａの検知装置から送信されてくる検知信号に基づいて遊技媒体貯留部１５０Ａの動作を制御したりする。
【００１５】
遊技媒体投入部１３０Ａは、遊技者が遊技媒体ＰＭを投入する部位であって、投入された遊技媒体ＰＭの姿勢を整えて遊技媒体検知部１４０Ａに供給するように構成されている。
【００１６】
遊技媒体検知部１４０Ａには、遊技媒体投入部１３０Ａに投入された遊技媒体ＰＭが通過する。そして、この遊技媒体検知部１４０Ａは、その通過する遊技媒体ＰＭを検知してカウントする。なお、この遊技媒体検知部１４０Ａは図３に示されるように遊技機制御部１２０Ａに通信接続されており、遊技媒体検知部１４０Ａにおいて計数された遊技媒体ＰＭの数量情報は、遊技機制御部１２０Ａに送信される。
【００１７】
遊技媒体貯留部１５０Ａは、遊技媒体検知部１４０Ａを通過した遊技媒体ＰＭや、遊技媒体補給ユニット３１０Ａから補給される遊技媒体ＰＭを貯留するための部位であって、主に、貯留タンク（図示せず）、レベルセンサ、排出シューター（図示せず）、オーバーフローシューター（図示せず）、排出機構（図示せず）、計数センサ（図示せず）から構成されている。貯留タンクは、遊技媒体ＰＭを貯留するための容器である。レベルセンサは、導電式接触センサや赤外線センサ等であって、貯留タンクの所定の高さに配設されている。このレベルセンサは、後述する遊技媒体補給コンベヤ３６０Ａの中継基板ユニット３６２ａに接続されており、貯留タンク内の遊技媒体ＰＭが一定量を下回わったのを検知すると、その検知信号を中継基板ユニット３６２ａに送信する。そして、この検知信号を受けた中継基板ユニット３６２ａは、遊技媒体補給要求信号を生成し、その遊技媒体補給要求信号を遊技媒体補給ユニット３１０Ａに送信する。排出シューターは、貯留タンクの下側から外方に延びており、貯留タンクに連通している。なお、この排出シューターは、遊技機構１１０Ａの受け皿まで延びている。オーバーフローシューターは、貯留タンクの上側から外方に延びており、貯留タンクに連通している。なお、このオーバーフローシューターの先端の下方には、後述する遊技媒体回収コンベヤ３７０Ａが配設されている。排出機構は、貯留タンクの下端部に配設されている。この排出機構は、遊技媒体貯留部１５０Ａに貯留されている遊技媒体ＰＭを排出シューターへ排出する役目を担うものであって、主に、回転盤およびモータから構成されている。回転盤は、遊技媒体ＰＭを一定方向に送り出す部材であって、モータの回転軸に結合されている。モータは、遊技機制御部１２０Ａに接続されており、遊技機制御部１２０Ａによってその動作が制御される。この遊技機制御部１２０Ａは、計数センサから送信されてくる遊技媒体ＰＭの数の情報（以下「検知遊技媒体数量情報」という。）が排出遊技媒体数量情報に一致するまでモータを駆動させ、検知遊技媒体数量情報が排出遊技媒体数量情報と一致した時点でモータを停止させる。その結果、排出遊技媒体数量情報に応じた数量の遊技媒体ＰＭが遊技機構１１０Ａの受け皿に排出される。この計数センサは、遊技機制御部１２０Ａに通信接続されており、検知遊技媒体数量情報を遊技機制御部１２０Ａに送信する。なお、遊技媒体ＰＭがオーバーフローシューターの位置まで貯留されると、その後さらに貯留タンクに送られてくる遊技媒体ＰＭは、オーバーフローシューターを通って遊技媒体回収コンベヤ３７０Ａに送られる。
【００１８】
（２）遊技媒体貸出機
本実施の形態に係る遊技媒体貸出機２０Ａは、図１および図２に示されるように、複数台設けられており、遊技機１０Ａと交互に配列されている。すなわち、遊技媒体貸出機２０Ａは遊技機１０Ａと一対をなして配列されていると言える。
【００１９】
遊技媒体貸出機２０Ａは、遊技機で遊技をするために必要となる遊技媒体ＰＭを、貨幣ＭＮと引き換えにして貸し出す機械であって、図４に示されるように、主に、貨幣投入部２１０Ａ、貨幣識別部２２０Ａ、貨幣貯留部２３０Ａ、貸出機制御部２４０Ａ、遊技媒体貯留部２５０Ａ、遊技媒体受け部２６０Ａ、情報表示部（図示せず）および貸出ボタン（図示せず）から構成されている。以下、これらの構成要素について詳述する。
【００２０】
貨幣投入部２１０Ａは、遊技を楽しもうとする者が遊技媒体ＰＭを借り入れる対価としての貨幣ＭＮを投入する部位であって、投入された貨幣ＭＮを仕分けすると共に貨幣ＭＮの姿勢を整えて貨幣貯留部２３０Ａに送り込む役目を担っている。
【００２１】
貨幣識別部２２０Ａは、紙幣や硬貨の種別を識別する部位であって、貨幣投入部２１０Ａと貨幣貯留部２３０Ａとの間に配設されている。そして、この貨幣識別部２２０Ａは、通過する紙幣の券種や硬貨の種別を認識して、貨幣額を計算する。そして、貨幣識別部２２０Ａは、その貨幣額の情報を貸出機制御部２４０Ａに送信する。
【００２２】
貨幣貯留部２３０Ａは、貨幣投入部２１０Ａから貨幣識別部２２０Ａを通って送られてくる紙幣や硬貨を貯留するための部位であって、複数の紙幣収容部および硬貨収容部を有している。紙幣収容部には紙幣が収容され、硬貨収容部には硬貨が収容される。
【００２３】
貸出機制御部２４０Ａは、遊技媒体貸出機２０Ａの各構成部品を制御する部位であって、例えば、マイクロコンピュータ等である。この貸出機制御部２４０Ａは、図４に示されるように、貨幣識別部２２０Ａおよび遊技媒体貯留部２５０Ａに通信接続されている。そして、この貸出機制御部２４０Ａは、貨幣識別部２２０Ａから貨幣額の情報を受信すると、その貨幣額の情報を入金貨幣情報として情報表示部に表示する。その後、この貸出機制御部２４０Ａは、貸出ボタンが押圧されたことを検知すると、遊技媒体貯留部２５０Ａに対して遊技媒体ＰＭの排出指令信号と共に、上述の遊技媒体ＰＭの数量情報を送信する。この排出指令信号および数量情報を受信した遊技媒体貯留部２５０Ａは、数量情報に応じた数量の遊技媒体ＰＭを遊技媒体受け部２６０Ａに排出する。
【００２４】
遊技媒体貯留部２５０Ａは、遊技媒体補給ユニット３１０Ａから補給される遊技媒体ＰＭを貯留するための部位であって、主に、貯留タンク（図示せず）、レベルセンサ、排出シューター（図示せず）、排出機構（図示せず）、計数センサ（図示せず）から構成されている。貯留タンクは、遊技媒体ＰＭを貯留するための容器である。レベルセンサは、導電式接触センサや赤外線センサ等であって、貯留タンクの所定の高さに配設されている。このレベルセンサは、後述する遊技媒体補給コンベヤ３６０Ａの中継基板ユニット３６２ａに接続されており、貯留タンク内の遊技媒体ＰＭが一定量を下回わったのを検知すると、その検知信号を中継基板ユニット３６２ａに送信する。そして、この検知信号を受けた中継基板ユニット３６２ａは、遊技媒体補給要求信号を生成し、その遊技媒体補給要求信号を遊技媒体補給ユニット３１０Ａに送信する。排出シューターは、貯留タンクの下側から外方に延びており、貯留タンクに連通している。なお、この排出シューターは、遊技媒体受け部２６０Ａまで延びている。排出機構は、貯留タンクの下端部に配設されている。この排出機構は、遊技媒体貯留部２５０Ａに貯留されている遊技媒体ＰＭを排出シューターへ排出する役目を担うものであって、主に、回転盤およびモータから構成されている。回転盤は、遊技媒体ＰＭを一定方向に送り出す部材であって、モータの回転軸に結合されている。モータは、貸出機制御部２４０Ａに接続されており、貸出機制御部２４０Ａによってその動作が制御される。この貸出機制御部２４０Ａは、計数センサから送信されてくる遊技媒体ＰＭの数の情報（以下「検知遊技媒体数量情報」という。）が排出遊技媒体数量情報に一致するまでモータを駆動させ、検知遊技媒体数量情報が排出遊技媒体数量情報と一致した時点でモータを停止させる。その結果、排出遊技媒体数量情報に応じた数量の遊技媒体ＰＭが遊技媒体受け部２６０Ａに排出される。この計数センサは、貸出機制御部２４０Ａに通信接続されており、検知遊技媒体数量情報を貸出機制御部２４０Ａに送信する。
【００２５】
遊技媒体受け部２６０Ａは、遊技媒体貯留部２５０Ａから排出される遊技媒体ＰＭを受ける部位であって、例えば、受け皿等である。
【００２６】
（３）遊技媒体補給装置
本実施の形態に係る遊技媒体補給装置３０は、図１に示されるように、主に、遊技媒体補給ユニット３１０Ａ，３１０Ｂ，３１０Ｃ、遊技媒体搬送コンベヤ３５０Ａ，３５０Ｂ、遊技媒体補給コンベヤ３６０Ａ，３６０Ｂ，３６０Ｃ、遊技媒体回収コンベヤ３７０Ａ，３７０Ｂ，３７０Ｃ、計数機３８０および計数タンク３９０から構成されている。なお以下では、説明のために、図６における紙面の奥の方向を前といい、紙面の手前の方向を後といい、紙面の右の方向を右といい、紙面の左の方向を左といい、紙面の上の方向を上といい、紙面の下の方向を下という。
【００２７】
（３−１）遊技媒体補給ユニット
本実施の形態に係る遊技媒体補給ユニット３１０Ａ，３１０Ｂ，３１０Ｃは、図１および図２に示されるように、各島ＩＬａ，ＩＬｂ，ＩＬｃの片端側に配設されている。また、図１および図５に示されるように、遊技媒体補給ユニット３１０Ａと遊技媒体補給ユニット３１０Ｂとは遊技媒体搬送コンベヤ３５０Ａを介して遊技媒体受渡（相互補給）可能に接続されており、遊技媒体補給ユニット３１０Ｂと遊技媒体補給ユニット３１０Ｃとは遊技媒体搬送コンベヤ３５０Ｂを介して遊技媒体受渡（相互補給）可能に接続されている。また、図１、図２および図５に示されるように、遊技媒体補給ユニット３１０Ａの近傍には計数機３８０および計数タンク３９０が配設されている（なお、図中、遊技媒体補給ユニット３１０Ｂ，３１０Ｃの近傍には計数機３８０および計数タンク３９０が配設されていない。）。そして、この計数タンク３９０は、搬送装置（図示せず）を介して遊技媒体搬出可能に遊技媒体補給ユニット３１０Ａに接続されている（図７参照）。
【００２８】
以下、遊技媒体補給ユニット３１０Ａ，３１０Ｂ，３１０Ｃの内部構造等について詳述するが、複数台存在する遊技媒体補給ユニット３１０Ａ，３１０Ｂ，３１０Ｃは、遊技媒体補給ユニット３１０Ａが唯一表示ユニットを備える点以外、同様の構造を有するため、遊技媒体補給ユニット３１０Ａ，３１０Ｂ，３１０Ｃについては代表して符号３１０Ａを付した遊技媒体補給ユニットについてのみ説明する。
【００２９】
遊技媒体補給ユニット３１０Ａは、遊技機１０Ａおよび遊技媒体貸出機２０Ａへ遊技媒体ＰＭを供給したり、遊技機１０Ａおよび遊技媒体貸出機２０Ａから回収される遊技媒体ＰＭを洗浄して貯留したりするユニットであって、図６および図７に示されるように、主に、表示ユニット３１１ａ、制御ユニット３１２ａ、電源ユニット３１３ａ、補給タンク３１４ａ、洗浄機３１５ａ、メダル搬送装置５００、集塵機３１７ａ、補給リフト３１８ａ、回収リフト３１９ａ、表示灯３２０ａ、三方向ダクトユニット３２１ａおよび島間補給コンベヤ３２２ａから構成されている。
【００３０】
表示ユニット３１１ａは、タッチパネル等の情報入出力装置であって、図７に示されるように、制御ユニット３１２ａに通信接続されている。なお、この表示ユニット３１１ａは、遊技媒体補給ユニット３１０Ｂ，３１０Ｃには設けられておらず（すなわち表示ユニット３１１ｂ，３１１ｃは存在しない）、遊技媒体補給ユニット３１０Ａにのみ設けられている。表示ユニット３１１ａは、使用者の操作によって複数種類の画面を切換表示することができる。なお、このような画面としては、例えば、メイン画面や、パスワード入力画面、メニュー表示画面、各種設定画面、各種エラー表示画面、各種エラー解除方法表示画面、各種履歴表示画面等が挙げられる。また、この表示ユニット３１１ａは、予め規定された画面において操作ボタンを表示し、その操作ボタンからの入力を受け付けるように構成されている。なお、画面の一部については、本発明の実施の形態に係る遊技媒体補給ユニット３１０Ａ，３１０Ｂ，３１０Ｃの一括操作機能を説明する際に併せて説明する。
【００３１】
制御ユニット３１２ａは、主に、表示ユニット３１１ａ、電源ユニット３１３ａ、洗浄機３１５ａ、メダル搬送装置５００、集塵機３１７ａおよび表示灯３２０ａに通信接続されている（図７参照）。そして、この制御ユニット３１２ａは、表示ユニット３１１ａから送信される入力情報や、洗浄機３１５ａおよび集塵機３１７ａ等から送信される状態情報等の情報を受信すると共に、その入力情報や状態情報等の情報に基づいて表示ユニット３１１ａに特定の画面や情報を表示したり（画面を切り換えることを含む）、電源ユニット３１３ａから電源供給を受けて、内部のリレー基板（図示せず）により洗浄機３１５ａ、メダル搬送装置５００、集塵機３１７ａ等の動作を制御したりする。また、この制御ユニット３１２ａは、遊技媒体補給ユニット３１０Ａが正常運転をしている場合、表示灯３２０ａを青色等に点灯させ、遊技媒体補給ユニット３１０Ａに異常が生じた場合、表示灯３２０ａを赤色等に点灯させる。また、この制御ユニット３１２ａは、電源ユニット３１３ａから電源供給を受けて、内部のリレー基板（図示せず）により、メダル搬送装置５００、補給リフト３１８ａ、回収リフト３１９ａ、三方向ダクトユニット３２１ａの三方向振分機（後述）および島間補給コンベヤ３２２ａを作動させたり停止させたりする。
【００３２】
また、この制御ユニット３１２ａは、上述の通り、遊技媒体補給コンベヤ３６０Ａの中継基板ユニット３６２ａ（後述）、遊技媒体補給ユニット３１０Ｂの制御ユニット（図示せず）および遊技媒体補給ユニット３１０Ｃの制御ユニット（図示せず）にも通信接続されている。そして、この制御ユニット３１２ａは、中継基板ユニット３６２ａ（後述）、遊技媒体補給ユニット３１０Ｂおよび遊技媒体補給ユニット３１０Ｃから送信される状態情報等の情報を受信すると共に、その状態情報等の情報に基づいて表示ユニット３１１ａに特定の画面や情報を表示する（画面を切り換えることを含む）。さらに、この制御ユニット３１２ａは、電源ユニット３１３ａから電源供給を受けて、内部のリレー基板（図示せず）により、遊技媒体補給コンベヤ３６０Ａ、遊技媒体回収コンベヤ３７０Ａおよび計数タンク３９０の搬送コンベヤ（図示せず）を作動させたり停止させたりする。そして、この制御ユニット３１２ａは、中継基板ユニット３６２ａ（後述）から送信される遊技媒体補給要求信号等を受信した際にその遊技媒体補給要求信号等に応じて表示ユニット３１１ａに情報を表示したり、電源ユニット３１３ａから電源供給を受けて、内部のリレー基板（図示せず）によりメダル搬送装置５００、補給リフト３１８ａおよび遊技媒体補給コンベヤ３６０Ａ等を作動させて遊技機１０Ａや遊技媒体貸出機２０Ａに遊技媒体ＰＭを供給したりする。さらに、この制御ユニット３１２ａは、遊技媒体補給ユニット３１０Ｂの制御ユニットから送信される遊技媒体補給要求信号等を受信した際にその遊技媒体補給要求信号等に応じて表示ユニット３１１ａに情報を表示したり、電源ユニット３１３ａから電源供給を受けて、内部のリレー基板（図示せず）により回収リフト３１９ａ、三方向ダクトユニット３２１ａの三方向振分機（後述）および島間補給コンベヤ３２２ａ等を作動させて遊技媒体補給ユニット３１０Ｂに遊技媒体ＰＭを供給したりする。なお、ここで、制御ユニットが遊技媒体補給ユニット３１０Ｂの制御ユニットである場合、その制御ユニットは、遊技媒体補給ユニット３１０Ａ，３１０Ｃの制御ユニットから送信される遊技媒体補給要求信号等を受信した際にその遊技媒体補給要求信号等に応じて遊技媒体補給ユニット３１０Ａの表示ユニット３１１ａに情報を表示したり、電源ユニット３１３ａから電源供給を受けて、内部のリレー基板（図示せず）により遊技媒体補給ユニット３１０Ｂの回収リフト、三方向ダクトユニットの三方向振分機および島間補給コンベヤ等を作動させて遊技媒体補給ユニット３１０Ａ，３１０Ｃに遊技媒体ＰＭを供給したりする。
【００３３】
電源ユニット３１３ａは、電源、電源のブレーカーヒューズおよび端子台等を有しており、制御ユニット３１２ａおよび電力ケーブル（図示せず）を介して表示ユニット３１１ａ、補給タンク３１４ａ、洗浄機３１５ａ、メダル搬送装置５００、集塵機３１７ａ、補給リフト３１８ａ、回収リフト３１９ａ、表示灯３２０ａ、三方向ダクトユニット３２１ａ、島間補給コンベヤ３２２ａ、遊技媒体補給コンベヤ３６０Ａ、遊技媒体回収コンベヤ３７０Ａおよび計数タンク３９０の搬送コンベヤ（図示せず）等に接続されている。そして、この電源ユニット３１３ａは、制御ユニット３１２ａを介して表示ユニット３１１ａ、洗浄機３１５ａ、集塵機３１７ａ、表示灯３２０ａ、補給タンク３１４ａ、メダル搬送装置５００、補給リフト３１８ａ、回収リフト３１９ａ、三方向ダクトユニット３２１ａの三方向振分機（後述）、島間補給コンベヤ３２２ａ、遊技媒体補給コンベヤ３６０Ａ、遊技媒体回収コンベヤ３７０Ａおよび計数タンク３９０の搬送コンベヤに対して電源供給を行うと共に、これらの装置を制御している。
【００３４】
補給タンク３１４ａには、遊技媒体ＰＭが貯留される。なお、この補給タンク３１４ａには、洗浄機３１５ａで洗浄された遊技媒体ＰＭのみが貯留される。
【００３５】
洗浄機３１５ａは、例えば、ブラシユニットや、ウェットクロスユニット等である。ブラシユニットは、円筒ブラシ、円筒ブラシを回転可能に軸支する軸受け、円筒ブラシを軸回りに回転させるモータ等の回転駆動源等を有する。このようなブラシユニットでは、投入された遊技媒体ＰＭの表面が、回転する円筒ブラシにより擦られ、その結果、遊技媒体ＰＭのくぼみや溝に入った塵埃等がかき出されて、遊技媒体ＰＭが浄化される。ウェットクロスユニットは、ウェットクロス、ウェットクロスの支持体、搬送装置等を有する。搬送装置は、ウェットクロス近傍に配設されている。また、ウェットクロスには液体が浸み込んでいる。このようなウェットクロスユニットでは、遊技媒体ＰＭがウェットクロスに押し付けられながら搬送装置によって搬送されることによって遊技媒体ＰＭが洗浄される。
【００３６】
メダル搬送装置５００の構成については後述する。
【００３７】
集塵機３１７ａは、いわゆる吸引器であって、洗浄機３１５ａに連通している。すなわち、この集塵機３１７ａは、洗浄機３１５ａによりかき出された塵埃等を吸引する。
【００３８】
補給リフト３１８ａは、メダル搬送装置５００から受け取った遊技媒体ＰＭをリフトアップして、遊技媒体ＰＭを遊技媒体補給コンベヤ３６０Ａに受け渡す役目を担っている。
【００３９】
回収リフト３１９ａは、遊技媒体回収コンベヤ３７０Ａやメダル搬送装置５００から受け取った遊技媒体ＰＭをリフトアップして、三方向ダクトユニット３２１ａの三方向振分機（図示せず）に受け渡す役目を担っている。
【００４０】
表示灯３２０ａは、遊技機システム１の状態を使用者が離れたところからでも確認することできるように設けられているものであって、遊技機システム１の状態を色分けして使用者に知らせるものである。具体的には、上述の通り、表示灯３２０ａは、制御ユニット３１２ａからの点灯指令信号に従って、点灯させるランプの色を選択している。
【００４１】
三方向ダクトユニット３２１ａは、主に、三方向ダクトおよび三方向振分機から構成されている。三方向振分機（図示せず）は、制御ユニット３１２ａから指令に従って、回収リフト３１９ａによりリフトアップされた遊技媒体ＰＭを、三方向ダクトのいずれかのダクトを介して洗浄機３１５ａ、左側島間補給コンベヤ３２２ａ、右側島間補給コンベヤ３２２ａのいずれかに振り分ける。
【００４２】
島間補給コンベヤ３２２ａには、左側島間補給コンベヤ３２２ａおよび右側島間補給コンベヤ３２２ａが存在する。これらの島間補給コンベヤ３２２ａは、制御ユニット３１２ａから指令に従って、三方向ダクトユニット３２１ａの三方向振分機により振り分けられた遊技媒体ＰＭを、遊技媒体補給ユニット３１０Ｂや遊技媒体補給ユニット３１０Ｃに搬送する。
【００４３】
（３−２）遊技媒体搬送コンベヤ
上述の通り、遊技媒体搬送コンベヤ３５０Ａは遊技媒体補給ユニット３１０Ａと遊技媒体補給ユニット３１０Ｂとを遊技媒体受渡（相互補給）可能に接続しており、遊技媒体搬送コンベヤ３５０Ｂは遊技媒体補給ユニット３１０Ｂと遊技媒体補給ユニット３１０Ｃとを遊技媒体受渡（相互補給）可能に接続している。
【００４４】
ここで、遊技媒体搬送コンベヤ３５０Ａは、遊技媒体補給ユニット３１０Ａの右側島間補給コンベヤ３２２ａおよび遊技媒体補給ユニット３１０Ｂの左側島間補給コンベヤから構成されている。また、遊技媒体搬送コンベヤ３５０Ｂは、遊技媒体補給ユニット３１０Ｂの右側島間補給コンベヤ３２２ａおよび遊技媒体補給ユニット３１０Ｃの左側島間補給コンベヤから構成されている。
【００４５】
（３−３）遊技媒体補給コンベヤ
遊技媒体補給コンベヤ３６０Ａ，３６０Ｂ，３６０Ｃは、図１および２に示されるように、遊技媒体補給ユニット３１０Ａ，３１０Ｂ，３１０Ｃの背面側から水平方向に沿って延びるコンベヤであって、遊技機１０Ａ，１０Ｂ，１０Ｃ、遊技媒体貸出機２０Ａ，２０Ｂ，２０Ｃの上側に配設されている。これらの遊技媒体補給コンベヤ３６０Ａ，３６０Ｂ，３６０Ｃは、遊技媒体補給ユニット３１０Ａ，３１０Ｂ，３１０Ｃの補給リフト３１８ａからリフトアップされてくる遊技媒体ＰＭを、遊技機１０Ａ，１０Ｂ，１０Ｃや、遊技媒体貸出機２０Ａ，２０Ｂ，２０Ｃに供給する役割を担っている。
【００４６】
以下、遊技媒体補給コンベヤ３６０Ａ，３６０Ｂ，３６０Ｃの構造等について詳述するが、複数台存在する遊技媒体補給コンベヤ３６０Ａ，３６０Ｂ，３６０Ｃは同様の構造を有するため、遊技媒体補給コンベヤ３６０Ａ，３６０Ｂ，３６０Ｃについては代表して符号３６０Ａを付した遊技媒体補給コンベヤについてのみ説明する。
【００４７】
遊技媒体補給コンベヤ３６０Ａは、図２に示されるように、主に、コンベヤ本体（図示せず）、複数のシャッターユニット３６１ａおよび複数の中継基板ユニット３６２ａから構成されている。シャッターユニット３６１ａは、コンベヤ本体上に配置され、コンベヤ本体により搬送されてきた遊技媒体ＰＭの進行方向を左または右に変えて遊技媒体ＰＭを遊技機１０Ａの遊技媒体貯留部１５０Ａまたは遊技媒体貸出機２０Ａの遊技媒体貯留部２５０Ａに落下させる。なお、このシャッターユニット３６１ａの開閉動作は、中継基板ユニット３６２ａによって制御される。中継基板ユニット３６２ａは、上述の通り、シャッターユニット３６１ａに通信接続されており、シャッターユニット３６１ａの開閉動作を制御する。また、この中継基板ユニット３６２ａは、遊技機１０Ａの遊技媒体貯留部１５０Ａのレベルセンサおよび遊技媒体貸出機２０Ａの遊技媒体貯留部２５０Ａのレベルセンサならびに遊技媒体補給ユニット３１０Ａの制御ユニット３１２ａにも通信接続されている。そして、この中継基板ユニット３６２ａは、レベルセンサから検知信号を受信すると、遊技媒体補給要求信号を生成し、その遊技媒体補給要求信号を遊技媒体補給ユニット３１０Ａの制御ユニット３１２ａに送信する。遊技媒体補給要求信号を受信した遊技媒体補給ユニット３１０Ａの制御ユニット３１２ａは、電源ユニット３１３ａから電源供給を受けて、内部のリレー基板（図示せず）により、メダル搬送装置５００、補給リフト３１８ａおよび遊技媒体補給コンベヤ３６０Ａを作動させると共に、遊技媒体補給要求信号を送信した中継基板ユニット３６２ａに対してシャッターユニット３６１ａを制御させて、遊技媒体補給コンベヤ３６０Ａのコンベヤ本体上の遊技媒体ＰＭを遊技機１０Ａの遊技媒体貯留部１５０Ａまたは遊技媒体貸出機２０Ａの遊技媒体貯留部２５０Ａに落下させる。
【００４８】
（３−４）遊技媒体回収コンベヤ
遊技媒体回収コンベヤ３７０Ａ，３７０Ｂ，３７０Ｃは、図１および２に示されるように、遊技媒体補給ユニット３１０Ａ，３１０Ｂ，３１０Ｃの背面側から水平方向に沿って延びるコンベヤであって、遊技機１０Ａ，１０Ｂ，１０Ｃ、遊技媒体貸出機２０Ａ，２０Ｂ，２０Ｃの下側に配設されている。これらの遊技媒体回収コンベヤ３７０Ａ，３７０Ｂ，３７０Ｃは、遊技機１０Ａの遊技媒体貯留部１５０Ａの貯留タンクからオーバーフローした遊技媒体ＰＭを遊技媒体補給ユニット３１０Ａ，３１０Ｂ，３１０Ｃまで搬送する役目を担っている。
【００４９】
（３−５）計数機
計数機３８０は、主に、遊技媒体投入部（図示せず）および遊技媒体検知部（図示せず）から構成されている。遊技媒体投入部は、遊技媒体ＰＭが投入される部位であって、投入された遊技媒体ＰＭの姿勢を整えると共に、複数の遊技媒体ＰＭが投入された場合、その複数の遊技媒体ＰＭを一つずつ遊技媒体検知部に供給するように構成されている。遊技媒体検知部には、遊技媒体投入部に投入された遊技媒体ＰＭが通過する。そして、この遊技媒体検知部は、その通過する遊技媒体ＰＭを計数する。なお、この遊技媒体検知部は計数機制御部（図示せず）に通信接続されており、遊技媒体検知部において計数された遊技媒体ＰＭの数の情報は、計数機制御部を介して数量表示部（図示せず）に送信されて表示される。
【００５０】
（３−６）計数タンク
計数タンク３９０は、主に、貯留容器（図示せず）および搬送コンベヤ（図示せず）から構成されている。貯留容器には、計数機３８０の遊技媒体計数部を通過した遊技媒体ＰＭが一時的に貯蔵される。搬送コンベヤは、貯留容器中の遊技媒体ＰＭを、一定速度で遊技媒体補給ユニット３１０Ａの回収リフト３１９ａの遊技媒体受け口へ搬送する。その後、遊技媒体受け口へ搬送された遊技媒体ＰＭは、回収リフト３１９ａによってリフトアップされ、洗浄機３１５ａを経て補給タンク３１４ａに貯留される。
＜メダル搬送装置５００の構成＞
【００５１】
次に、本実施の形態にかかるメダル搬送装置５００の構成について説明する。図８は、本実施の形態にかかるメダル搬送装置５００の前方斜視図である。図９は、本実施の形態にかかるメダル搬送装置５００の正面図である。図１０は、本実施の形態にかかるメダル搬送装置５００の平面図である。
【００５２】
図８から図１０を参照して、本実施の形態にかかるメダル搬送装置５００は、主に、補給リフト３１８ａの遊技媒体受け口にメダルを搬送するための補給コンベア５１０と、回収リフト３１９ａの遊技媒体受け口にメダルを搬送するための回収コンベア５２０と、制御ユニット３１２ａからの指令に応じて補給コンベア５１０と回収コンベア５２０とを駆動するためのモータ５３０とを含む。
【００５３】
たとえば、遊技機１０Ａの遊技機制御部１２０Ａや、遊技媒体貸出機２０Ａの貸出機制御部２４０Ａから制御ユニット３１２ａに遊技媒体ＰＭの遊技媒体補給要求信号が送信されてくると、制御ユニット３１２ａがメダル搬送装置５００に補給用の駆動指令信号を送信する。補給用の駆動指令信号を受信したメダル搬送装置５００は、一定時間、モータ５３０を第１の方向に駆動させることによって、補給用開口部５１０Ｘから投入されてくるメダルを後方に送り、補給リフト３１８ａの遊技媒体受け口に搬送する。一方、メダル搬送装置５００は、制御ユニット３１２ａからの回収用の駆動指令信号を受信すると、一定時間、モータ５３０を第２の方向に駆動させることによって、回収用開口部５２０Ｘから投入されてくるメダルを後方に送り、回収リフト３１９ａの遊技媒体受け口に搬送する。
【００５４】
次に、メダル搬送装置５００の駆動構成について説明する。図１１は、本実施の形態にかかるメダル搬送装置５００の駆動構成を示す右前方斜視図である。図１２は、本実施の形態にかかるメダル搬送装置５００の駆動構成を示す左前方斜視図である。
【００５５】
図１１と図１２を参照して、メダル搬送装置５００においては、モータ５３０による駆動力がモータ主軸５３１を介して第１の駆動プーリ５３２に伝達される。第１の駆動プーリ５３２の駆動力は、第１のベルト５３３を介して、第１の従動プーリ５１２に伝達される。第１の従動プーリ５１２の駆動力は、第１の従動プーリ５１２と同軸上の第１のワンウェイクラッチ圧入ギア５１４を介して、第１のギア５１５に伝達される。第１のギア５１５は、メダル補給用のベルト５１１の駆動プーリ５１６の同軸上に取り付けられる。
【００５６】
なお、本実施の形態においては、第１のワンウェイクラッチ圧入ギア５１４は、図１１における反時計方向、すなわち図１２における時計方向に回動する場合に、第１のワンウェイクラッチ圧入ギア５１４の駆動力をメダル補給用のベルト５１１の駆動プーリ５１６に伝達する。すなわち、モータ５３０の第１の駆動プーリ５３２が、図１１における反時計方向、すなわち図１２における時計方向に回動する場合に、駆動力がメダル補給用のベルト５１１の駆動プーリ５１６に伝達される。逆に、第１のワンウェイクラッチ圧入ギア５１４が、図１１における時計方向、すなわち図１２における反時計方向に回動する場合は、駆動力がメダル補給用のベルト５１１の駆動プーリ５１６に伝達されない。すなわち、モータ５３０の第１の駆動プーリ５３２が、図１１における時計方向、すなわち図１２における反時計方向に回動する場合には、駆動力はメダル補給用のベルト５１１の駆動プーリ５１６に伝達されない。
【００５７】
このように構成されているので、本実施の形態にかかるメダル補給用のベルト５１１は、常に、メダルが載せられる上側のベルト５１１ａが駆動プーリ５１６に引っ張られることによって、一方向のみ駆動する。そして、本実施の形態においては、ベルト５１１は、引っ張る方向の駆動に適した歯付きベルトで構成されており、駆動プーリ５１６にかみ合いながら駆動される。これによって、モータの動力を効率よくベルトに伝達することができる。
【００５８】
第１の従動プーリ５１２の回動軸５１３の、回収ベルト５２１側の端部には、第２のワンウェイクラッチ圧入ギア５１８が取り付けられる。第２のワンウェイクラッチ圧入ギア５１８の駆動力は、第２のギア５２２を介して、第３のギア５２３に伝達される。第３のギア５２３の回動軸５２４の他端には第２の駆動プーリ５２５が取り付けられる。第２の駆動プーリ５２５の駆動力は、第２のベルト５２６を介して回収ベルト５２１の駆動プーリ５２７に伝達される。
【００５９】
なお、本実施の形態においては、第２のワンウェイクラッチ圧入ギア５１８は、図１１における時計方向、すなわち図１２における反時計方向に回動する場合に、第２のギア５２２に駆動力を伝達する。すなわち、モータ５３０の第１の駆動プーリ５３２が、図１１における時計方向、すなわち図１２における反時計方向に回動する場合に、駆動力が回収ベルト５２１の駆動プーリ５２７，５２８に伝達される。逆に、第２のワンウェイクラッチ圧入ギア５１８は、図１１における反時計方向、すなわち図１２における時計方向に回動する場合は、駆動力が第２のギア５２２に伝達されない。すなわち、モータ５３０の第１の駆動プーリ５３２が、図１１における反時計方向、すなわち図１２における時計方向に回動する場合には、駆動力は回収ベルト５２１の駆動プーリ５２７，５２８に伝達されない。
【００６０】
このように構成されているので、本実施の形態にかかるメダル回収用のベルト５２１は、常に、メダルが載せられる上側のベルト５２１ａが駆動プーリ５２７，５２８に引っ張られることによって、一方向のみ駆動する。そして、本実施の形態においては、ベルト５２１は、引っ張る方向の駆動に適した歯付きベルトで構成されており、駆動プーリ５２７にかみ合いながら駆動される。これによって、モータの動力を効率よくベルトに伝達することができる。
［第２の実施の形態］
【００６１】
上記の実施の形態においては、搬送対象物として、メダルをあげているが、メダル以外の遊技媒体に利用してもよいし、遊技媒体以外のお菓子やその他の商品や部品などの搬送に利用してもよい。つまり、搬送装置は、メダル搬送装置５００に限らず、他の搬送装置であってもよい。
［第３の実施の形態］
【００６２】
上記の実施の形態においては、１つのモータ５３０によって、２つのベルト５１１，５２１を駆動するものであるが、第１の搬送ベルト５１１用のモータと、第２の搬送ベルト５２１用のモータとを搭載して、制御ユニット３１２ａからの指令に応じて両者を別々または同時に駆動させるものであってもよい。
［第４の実施の形態］
【００６３】
上記の実施の形態においては、モータ５３０の駆動方向を切り替えることによって、第１の搬送ベルト５１１が搬送対象物を補給リフト３１８ａに供給するための方向に駆動されたり、第２の搬送ベルト５２１が搬送対象物を回収リフト３１９ａに供給するための方向に駆動されたりするものであった。しかしながら、モータ５３０を同一の方向に駆動させながら、ギアの組み合わせ方によって、第１の搬送ベルト５１１を駆動させたり、第２の搬送ベルト５２１を駆動させたり、第１の搬送ベルト５１１の駆動方向を変更したり、第２の搬送ベルト５２１の駆動方向を変更したりしてもよい。
［第５の実施の形態］
【００６４】
上記の実施の形態においては、モータ５３０と第１の搬送ベルト５１１の伝達経路に第１のワンウェイクラッチ圧入ギア５１４が設けられ、モータ５３０と第２の搬送ベルト５２１の伝達経路に第２のワンウェイクラッチ圧入ギア５１８が設けられるものであった。しかしながら、なお、ワンウェイクラッチ圧入ギア５１４,５１８に限らず、電磁クラッチを利用したり、ギアの組み合わせ方を変更したりする形態であってもよい。
［第６の実施の形態］
【００６５】
上記の実施の形態においては、第１の搬送ベルト５１１と第２の搬送ベルト５２１とは、搬送対象物が載置される上側のベルト５１１ａ，５２１ａを引き寄せる方向（図１１における後方）のみに駆動されるものであった。しかしながら、第１の搬送ベルト５１１の駆動プーリ５１６と第２の搬送ベルト５２１の駆動プーリ５２８が、モータ５３０の駆動力よって、搬送対象物が載置される上側のベルト５１１ａ，５２１ａを押し出す方向（図１１における前方）のみに駆動されてもよい。たとえば、第１のワンウェイクラッチ圧入ギア５１４と第１のギア５１５との間にギアを配置したり、第２のギア５２２を挟まない構成にしたりすることが考えられる。
［第７の実施の形態］
【００６６】
上記の実施の形態においては、第１の搬送ベルト５１１と第２の搬送ベルト５２１が左右方向に互いに平行に配置されているが、両者は、上下方向や前後方向に平行に配置されてもよい。あるいは、両者は、平行ではなく、相対的に斜めに配置されたり、相対的に直行するように配置されたりしてもよい。
［第８の実施の形態］
【００６７】
また、上記の実施の形態においては、搬送対象物を補給リフト３１８ａに供給するための方向と、搬送対象物を回収リフト３１９ａに供給するための方向と、が同じ方向であったが、搬送対象物を補給リフト３１８ａに供給するための方向と、搬送対象物を回収リフト３１９ａに供給するための方向と、が逆の方向であってもよい。たとえば、第１のワンウェイクラッチ圧入ギア５１４と第１のギア５１５との間にギアを配置したり、第２のギア５２２を挟まない構成にしたりすることによって、容易に第１の搬送ベルト５１１と第２の搬送ベルト５２１の駆動方向を変更することができる。
【００６８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６９】
１        ：遊技機システム
１０Ａ    ：遊技機
１０Ｂ    ：遊技機
１０Ｃ    ：遊技機
２０Ａ    ：遊技媒体貸出機
２０Ｂ    ：遊技媒体貸出機
２０Ｃ    ：遊技媒体貸出機
３０      ：遊技媒体補給装置
１１０    ：遊技機構
１１０Ａ  ：遊技機構
１２０Ａ  ：遊技機制御部
１３０Ａ  ：遊技媒体投入部
１４０Ａ  ：遊技媒体検知部
１５０Ａ  ：遊技媒体貯留部
２１０Ａ  ：貨幣投入部
２２０Ａ  ：貨幣識別部
２３０Ａ  ：貨幣貯留部
２４０Ａ  ：貸出機制御部
２５０Ａ  ：遊技媒体貯留部
２６０Ａ  ：遊技媒体受け部
３１０Ａ  ：遊技媒体補給ユニット
３１０Ｂ  ：遊技媒体補給ユニット
３１０Ｃ  ：遊技媒体補給ユニット
３１１ａ  ：表示ユニット
３１１ｂ  ：表示ユニット
３１１ｃ  ：表示ユニット
３１２ａ  ：制御ユニット
３１３ａ  ：電源ユニット
３１４ａ  ：補給タンク
３１５ａ  ：洗浄機
３１７ａ  ：集塵機
３１８ａ  ：補給リフト
３１９ａ  ：回収リフト
３２０ａ  ：表示灯
３２１ａ  ：三方向ダクトユニット
３２２ａ  ：島間補給コンベヤ
３５０Ａ  ：遊技媒体搬送コンベヤ
３５０Ｂ  ：遊技媒体搬送コンベヤ
３６０Ａ  ：遊技媒体補給コンベヤ
３６０Ｂ  ：遊技媒体補給コンベヤ
３６０Ｃ  ：遊技媒体補給コンベヤ
３６１ａ  ：シャッターユニット
３６２ａ  ：中継基板ユニット
３７０Ａ  ：遊技媒体回収コンベヤ
３７０Ｂ  ：遊技媒体回収コンベヤ
３７０Ｃ  ：遊技媒体回収コンベヤ
３８０    ：計数機
３９０    ：計数タンク
５００    ：メダル搬送装置
５１０    ：補給コンベア
５１０Ｘ  ：補給用開口部
５１１    ：第１の搬送ベルト
５１２    ：第１の従動プーリ
５１３    ：回動軸
５１４    ：第１のワンウェイクラッチ圧入ギア
５１５    ：第１のギア
５１６    ：駆動プーリ
５１８    ：第２のワンウェイクラッチ圧入ギア
５２０    ：回収コンベア
５２０Ｘ  ：回収用開口部
５２１    ：第２の搬送ベルト
５２２    ：第２のギア
５２３    ：第３のギア
５２４    ：回動軸
５２５    ：第２の駆動プーリ
５２６    ：第２のベルト
５２７    ：駆動プーリ
５２８    ：駆動プーリ
５３０    ：モータ
５３１    ：モータ主軸
５３２    ：第１の駆動プーリ
５３３    ：第１のベルト
ＩＬａ    ：島
ＭＮ      ：貨幣
ＰＭ      ：遊技媒体
【図１】
2019166113.tif 000003
【図２】
2019166113.tif 000004
【図３】
2019166113.tif 000005
【図４】
2019166113.tif 000006
【図５】
2019166113.tif 000007
【図６】
2019166113.tif 000008
【図７】
2019166113.tif 000009
【図８】
2019166113.tif 000010
【図９】
2019166113.tif 000011
【図１０】
2019166113.tif 000012
【図１１】
2019166113.tif 000013
【図１２】
2019166113.tif 000014
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
搬送対象物を補給リフト側に搬送するための第１の搬送ベルトと、
搬送対象物を回収リフト側に搬送するための第２の搬送ベルトと、
前記第１の搬送ベルトを駆動し、前記第２の搬送ベルトを駆動するためのモータと、
前記モータから前記第１の搬送ベルトへの伝達経路上に配置される第１のワンウェイクラッチと、
前記モータから前記第２の搬送ベルトへの伝達経路上に配置される第２のワンウェイクラッチと、を備え、
前記第１の搬送ベルトと前記第２の搬送ベルトは互いに平行に並んで配置され、
前記第１のワンウェイクラッチは、前記第１の搬送ベルトが前記搬送対象物を前記補給リフトに供給するための方向のみに駆動するように前記モータの第１の方向への駆動力を伝達し、
前記第２のワンウェイクラッチは、前記第２の搬送ベルトが前記搬送対象物を前記回収リフトに供給するための方向のみに駆動するように前記モータの前記第１の方向とは逆の第２の方向への駆動力を伝達する、搬送装置。
【請求項２】
前記第１の搬送ベルトの駆動プーリと前記第２の搬送ベルトの駆動プーリは、前記モータの駆動力によって、前記搬送対象物が載置される上側のベルトを引き寄せる方向のみに駆動される、請求項１に記載の搬送装置。
【請求項３】
前記第１の搬送ベルトと前記第２の搬送ベルトは、歯付きベルトによって構成される、請求項２に記載の搬送装置。
【請求項４】
前記搬送対象物を前記補給リフトに供給するための方向と、前記搬送対象物を前記回収リフトに供給するための方向と、が同じ方向である、請求項１から３のいずれか１項に記載の搬送装置。
【請求項５】
前記搬送対象物を前記補給リフトに供給するための方向と、前記搬送対象物を前記回収リフトに供給するための方向と、が逆の方向である、請求項１から４のいずれか１項に記載の搬送装置。